(57)【要約】      （修正有）【課題】机や紙等に置いた状態で密着していても、指や爪で容易につまみ上げたり移動出来る直線定規を提供する。【解決手段】片側目盛りの直線定規１において、目盛りの無い反対面６の裏面５にＬ字形カット部Ａ’３が設けられているため、机や紙等に置いた状態で密着していても、Ｌ字形カット部を親指等で少し押さえるだけで直線定規が浮き上がり、指や爪で容易につまみ上げて移動出来る優れた直線定規となる。【選択図】図１
0003172967.tif 000002
【実用新案登録請求の範囲】
【請求項１】
片側目盛りの直線定規（１）において、目盛りの無い反対面（６）の裏面（５）にＬ字形カット部Ａ’（３）が設けられた事を特徴とする直線定規（１）。
【請求項２】
両側目盛りの直線定規（１）において、片方の目盛り側（７）にＬ字形カット部Ａ（２）が、更にもう一方の目盛り側（８）に先と同形状のＬ字形カット部Ａ’（３）がそれぞれ逆さまに設けられた事を特徴とする直線定規（１）。
【考案の詳細な説明】
【技術分野】
【０００１】  本考案は定規に関し、机等に密着せず指等で取り扱いしやすい直線定規に関するものである。
【背景技術】
【０００２】  従来、長さを測定したり、線を引くための物差し、いわゆる定規は１ｍｍ〜数ｍｍ程度の板状から形成されている。【０００３】  この板状の平面を机に置いた線等にズレないよう指で押さえて使用するため、定規の裏面が机等の表面に密着してしまい、使用中に指や爪で定規を容易につまみ上げる事が出来なくなる事が有り、これを解決するために、アッシュコンセプト社製の商品名「アーチルーラー」のように定規自体を大きく湾曲形成した商品が提案されている。
【先行技術文献】
【特許文献】
【０００４】
【特許文献１】  登録実用新案第３１６８６１４号
【考案の概要】
【考案が解決しようとする課題】
【０００５】  しかしながら上記「アーチルーラー」は、使用時に真ん中を真下方向に確実に押さえなければならず、定規の目盛り部分を測定したい線や線引きしたい箇所に確実に合わせるには大変不便なものであった。【０００６】  更に定規自体が大きく湾曲しているため、筆箱やカバン等に収納する際に場所も取り、更にはその形状から傷つき易いという問題点があった。【０００７】  又、登録実用新案第３１６８６１４号による定規は、定規の中央部にＵ字形状の切り欠け部と該切り欠け部の裏面に、０．１ｍｍ〜１ｍｍ範囲内の突起部が設けられているため、製造の際の加工工程が複雑で費用もかかる問題があった。【０００８】  更に、Ｕ字形状の切り欠け部が収納時にちょっとした出っ張り等に引っかかって割れたり欠けたりする欠点があった。
【課題を解決するための手段】
【０００９】  上記課題を解決するために本考案は、片側目盛りの直線定規（１）において、目盛りの無い反対面（６）の裏面（５）にＬ字形カット部Ａ’（３）が設けられている。【００１０】  又更に本考案は、両側目盛りの直線定規（１）において、片方の目盛り側（７）にＬ字形カット部Ａ（２）が、更にもう一方の目盛り側（８）に先と同形状のＬ字形カット部Ａ’（３）がそれぞれ逆さまに設けられている。
本考案は以上のような構成からなる直線定規である。
【考案の効果】
【００１１】  本考案の直線定規は以上のような構成であるため、机や紙等に置いた状態で密着していてもＬ字形カット部を親指等で少し押さえるだけで直線定規が浮き上がり、指や爪で容易につまみ上げたり移動出来る優れたものとなる。【００１２】  もちろんＬ字形カット部の角を親指で引っかけて容易につまみ上げる事も出来るのである。【００１３】  特に両側目盛りの直線定規においては、使用時にどちらを表にしても裏にしても両側目盛りのそれぞれの目盛り側に同形状のＬ字形カット部が逆さまに設けられているため、表裏を気にせず使用する事が出来る優れたものとなる。【００１４】  更にＬ字形カット部を設けるだけなので、易加工性、生産コスト等の面からも優れており、形状も従来の直線定規とほぼ同形状であるのでデザインや収納性にも違和感の無いものとなる。
【図面の簡単な説明】
【００１５】
【図１】  本考案の一実施例を示す斜視図である。
【図２】  本考案の一実施例を示す斜視図である。
【図３】  本考案の図２の平面図である。
【図４】  本考案の図３のＡ−Ａ’断面図である。
【図５】  本考案の使用時の一実施例を示す斜視図である。
【図６】  本考案の使用時の一実施例を示す斜視図である。
【考案を実施するための形態】
【００１６】  本考案における直線定規の大きさ、形状、デザイン、材質、製造方法等は特に限定されないが、特に材質としてはアクリルやＰＶＣ樹脂等が用いられる。
【００１７】  Ｌ字形カット部の形状は、直線定規によってまちまちであるが、定規短手幅の１／４〜１／６程度の幅で設けられるのが好ましい。
【００１８】  又Ｌ字形カット部のカット深さも、定規厚みの１／２程度が好ましく、Ｌ字形状のカドに凹のフィレットＲを付けたり、Ｌ字部分にテーパーをつけても良いがあくまでもＬ字形カットにより、凸カド２点が出来るように構成される。
以下、実施例と図に基づき説明する。
【実施例】
【００１９】  以下、本考案の一実施例を図１、図２、図３、図４、図５及び図６で説明するがこれによって本考案は何ら限定されるものではない。【００２０】  図１は、本考案の一例の斜視図である。片側目盛りの直線定規（１）において、目盛りの無い反対面（６）の裏面（５）にＬ字形カット部Ａ’（３）が設けられている。【００２１】  図２は、本考案の別の一例の斜視図である。両側目盛りの直線定規（１）において、片方の目盛り側（７）の表面（４）にＬ字形カット部Ａ（２）が、更にもう一方の目盛り側（８）にも先と同形状のＬ字形カット部Ａ’（３）がそれぞれ逆さまになるように設けられている。【００２２】  図３は、図２の表面（４）から見た平面図を示している。【００２３】  図４は、図３のＡ−Ａ’断面図を示し、Ｌ字形カット部Ａ（２）とＬ字形カット部Ａ’（３）がそれぞれ逆さまになるように構成されていることを示している。【００２４】  図５は、机（９）に置かれた本考案の直線定規（１）のＬ字形カット部Ａ’（３）を上から親指（１０）で押すと、Ｌ字形カット部Ａ’（３）の端面が下がりＬ字形カット部Ａ（２）が浮き上がり、指で容易につまみ上げる様子を示している。【００２５】  図６は、机（９）に置かれた本考案の直接定規（１）のＬ字形カット部Ａ（２）を中指（１１）で押さえて動かなくしておき、親指（１０）でＬ字形カット部Ａ’（３）の角を引っかけて容易につまみ上げる様子を示している。
【産業上の利用の可能性】
【００２６】  本考案の直線定規は、片側目盛り、両側目盛りであってもＬ字形カット部によって、机や紙等に置いて密着していても、該Ｌ字形カット部を親指等で少し押さえるだけで、反対の端面が浮き上がり指で容易につまみ上げて、移動が出来る優れた直線定規となる。
【００２７】  又、目盛り側を中指等で押さえて動かなくしておき、親指で手前端面に設けられたＬ字形カット部の角を引っかけても容易につまみ上げることの出来る優れた直線定規である。
【００２８】  特に、両側目盛りの直線定規においては、使用時にどちらの面を表にしても裏にしても両側目盛りのそれぞれの目盛り側に同形状のＬ字形カット部が逆さまに設けられているため、表裏を気にせず使用する事が出来る優れたものとなる。
【００２８】  又、表面の目盛りを右利き用にし、裏面の目盛りを左利き用に設けておけば、左右兼用の直線定規とすることが出来る。
【符号の説明】
【００３０】  １  直線定規      ２  Ｌ字形カット部Ａ    ３  Ｌ字形カット部Ａ’
４  表面      ５  裏面    ６  目盛りの無い反対面  ７  片方の目盛り側
８  もう一方の目盛り側    ９  机    １０  親指    １１  中指
【図１】
0003172967.tif 000003
【図２】
0003172967.tif 000004
【図３】
0003172967.tif 000005
【図４】
0003172967.tif 000006
【図５】
0003172967.tif 000007
【図６】
0003172967.tif 000008